(57)【特許請求の範囲】
【請求項１】
アーマチュア軸を有し、通電により回転するアーマチュアと、
上記アーマチュアを回転可能に収容した筒状のケースと、
上記ケースの端部に結合されてポンプ室を形成するポンプカバーと、
上記ポンプ室内で上記アーマチュアのアーマチュア軸に結合され、該アーマチュア軸の回転により洗浄液を送出するインペラを備えたウオッシャポンプであって、
上記ケースの端部に形成され、該ケースの内部と外部とを連通する第１の通気孔と、
上記ポンプ室とは独立して上記ポンプカバーに形成され、上記第１の通気孔に連通された副室と、
上記ポンプカバーに形成され、上記副室に連通されているとともに大気に開放された第２の通気孔を備えていることを特徴とするウオッシャポンプ。
【請求項２】
アーマチュア軸を有し、通電により回転するアーマチュアと、
上記アーマチュアを回転可能に収容した筒状のケースと、
上記ケースの端部に結合されてポンプ室を形成するポンプカバーと、
上記ポンプ室内で上記アーマチュアのアーマチュア軸に結合され、該アーマチュア軸の回転により洗浄液を送出するインペラを備えたウオッシャポンプであって、
上記ケースの端部に形成され、該ケースの内部と外部とを連通する第１の通気孔と、
上記ポンプ室とは独立して上記ポンプカバーに形成され、上記第１の通気孔に連通された副室と、
上記ポンプカバーに形成され、上記副室に連通されているとともに大気に開放された第２の通気孔と、
上記ポンプカバーに形成され、上記副室に連通接続されているとともに大気に開放された第３の通気孔を備えていることを特徴とするウオッシャポンプ。
【請求項３】
ポンプカバーには、ポンプ室を形成する第１の環状側壁と、この第１の環状側壁の外周側に離れて配置された第２の環状側壁と、この第１、第２の環状側壁に連接された環状底板とが備えられており、
副室は、上記第１の環状側壁と上記第２の環状側壁と上記環状底板とにより囲まれて形成されていることを特徴とする請求項１、２に記載のウオッシャポンプ。
【請求項４】
第３の通気孔は、第２の環状側壁の一部に形成されていることを特徴とする請求項３に記載のウオッシャポンプ。
【請求項５】
第２の通気孔は、ポンプカバーの環状底板を貫通して該環状底板の円周方向の６個所に形成されていることを特徴とする請求項３に記載のウオッシャポンプ。
【請求項６】
第２の通気孔は、ポンプカバーの環状底板を貫通して該環状底板の円周方向の３個所に形成されていることを特徴とする請求項３に記載のウオッシャポンプ。
【請求項７】
第２の通気孔は、ポンプカバーの環状底板を貫通して該環状底板の円周方向の１個所に形成されていることを特徴とする請求項３に記載のウオッシャポンプ。
【請求項８】
アーマチュア軸を有し、通電により回転するアーマチュアと、
上記アーマチュアのアーマチュア軸を回転可能に支持し、端部にポンプ室壁を有する筒状をなしたケースと、
上記ケースに一体的に形成されたタンク取付部と、
上記ケースのポンプ室壁に対向して配置された底板と、この底板の外周より延設され、上記ケースのポンプ室壁に結合された第１の環状側壁とが形成されたポンプカバーと、
上記ケースのポンプ室壁と上記ポンプカバーの底板及び第１の環状側壁とに囲まれて形成されたポンプ室内に配置され、上記アーマチュアのアーマチュア軸に結合され、上記アーマチュアの回転により上記タンク取付部の吸水口よりポンプ室内に吸水された洗浄液を送出するインペラを備えたウオッシャポンプにおいて、
上記ケースの端部には、該ケースの内部と外部を連通する第１の通気孔が形成され、
上記ポンプカバーには、上記第１の環状側壁から突設された環状底板と、該第１の環状側壁を囲んで配置され、該環状底板から上記ケースの端部に向って延設された第２の環状側壁とが形成され、
上記ポンプカバーの環状底板には、上記ケースの第１の通気孔に連通し、かつ、大気に開放された第２の通気孔が形成されていることを特徴とするウオッシャポンプ。
【請求項９】
第１の通気孔の開口部に対し、第２の通気孔の開口部は、互いにずれた位置に形成されていることを特徴とする請求項８に記載のウオッシャポンプ。
【請求項１０】
第２の通気孔の幅は、第１の環状側壁と第２の環状側壁との離間した距離より十分小さく形成されていることを特徴とする請求項８、９のいずれかに記載のウオッシャポンプ。
【請求項１１】
第２の環状側壁には、大気に開放された第３の通気孔が形成されていることを特徴とする請求項８、９、１０のいずれかに記載のウオッシャポンプ。
【請求項１２】
第３の通気孔は、タンク取付部の下部に配置されていることを特徴とする請求項１１に記載のウオッシャポンプ。
【請求項１３】
第２の環状側壁には、下方に向って延設された第３の環状側壁が形成されていることを特徴とする請求項８、９、１０、１１、１２のいずれかに記載のウオッシャポンプ。
【請求項１４】
第２の通気孔は、複数個形成されていることを特徴とする請求項８、９、１０、１１、１２、１３のいずれかに記載のウオッシャポンプ。
【請求項１５】
第２の通気孔の断面積は、第１の通気孔の断面積よりも大きく形成されていることを特徴とする請求項８、９、１０、１１、１２、１３のいずれかに記載のウオッシャポンプ。
【発明の詳細な説明】
【０００１】
【発明の属する技術分野】
この発明は、ウオッシャタンクに貯蔵した洗浄液を送給するのに用いられるウオッシャポンプに関する。
【０００２】
【従来の技術】
この種のウオッシャポンプとしては、アーマチュアに電流が供給されると、アーマチュアのアーマチュア軸に結合したインペラがポンプ室内で回転する。インペラが回転するとポンプ室内に負圧が発生する。この負圧によりポンプ室に連通接続されたウオッシャタンクからポンプ室内に洗浄液が吸い込まれる。ポンプ室に吸い込まれた洗浄液がウオッシャタンクから離れて配置されたノズルに送給される。そして、洗浄液がノズルから洗浄面に対して噴射される。
【０００３】
【発明が解決しようとする課題】
上記したウオッシャポンプでは、アーマチュアを収容したケースに、このケースの内部と外部とに連通接続された呼吸孔が設けられていたが、洗車や降雨時の車両による雨水のはねかけ等により被水した際にその水の勢いらより呼吸孔からケース内に水が浸入し、その水によってアーマチュアが錆びると、アーマチュアが回らなくなるという問題点があった。
【０００４】
また、上記のウオッシャポンプでは、アーマチュアが通電により回転することによってアーマチュアを収容しているケースが高温になっている際や、環境温度によりケースが高温になっている際に被水があると、その水によってケースが急激に冷やされる。すると、ケースの内側がケースの外側に比べて負圧になる。その結果、呼吸孔から水がケース内に吸引され、上記と同様にして、その水によってアーマチュアが錆びると、アーマチュアが回らなくなるという問題点があった。
【０００５】
【発明の目的】
この発明に係わるウオッシャポンプは、被水した際にケース内への水の浸入を防止することができるウオッシャポンプを提供することを目的としている。
【０００６】
【発明の構成】
【０００７】
【課題を解決するための手段】
この発明の請求項１に係わるウオッシャポンプでは、アーマチュア軸を有し、通電により回転するアーマチュアと、アーマチュアを回転可能に収容した筒状のケースと、ケースの端部に結合されてポンプ室を形成するポンプカバーと、ポンプ室内でアーマチュアのアーマチュア軸に結合され、アーマチュア軸の回転により洗浄液を送出するインペラを備えたウオッシャポンプであって、ケースの端部に形成され、ケースの内部と外部とを連通する第１の通気孔と、ポンプ室とは独立してポンプカバーに形成され、第１の通気孔に連通された副室と、ポンプカバーに形成され、副室に連通されているとともに大気に開放された第２の通気孔を備えている構成としたことを特徴としている。
【０００８】
この発明の請求項２に係わるウオッシャポンプでは、アーマチュア軸を有し、通電により回転するアーマチュアと、アーマチュアを回転可能に収容した筒状のケースと、ケースの端部に結合されてポンプ室を形成するポンプカバーと、ポンプ室内でアーマチュアのアーマチュア軸に結合され、アーマチュア軸の回転により洗浄液を送出するインペラを備えたウオッシャポンプであって、ケースの端部に形成され、ケースの内部と外部とを連通する第１の通気孔と、ポンプ室とは独立してポンプカバーに形成され、第１の通気孔に連通された副室と、ポンプカバーに形成され、副室に連通されているとともに大気に開放された第２の通気孔と、ポンプカバーに形成され、副室に連通接続されているとともに大気に開放された第３の通気孔を備えている構成としたことを特徴としている。
【０００９】
この発明の請求項３に係わるウオッシャポンプでは、請求項１、２の構成に加え、ポンプカバーには、ポンプ室を形成する第１の環状側壁と、この第１の環状側壁の外周側に離れて配置された第２の環状側壁と、この第１、第２の環状側壁に連接された環状底板とが備えられており、副室は、第１の環状側壁と第２の環状側壁と環状底板とにより囲まれて形成されている構成としたことを特徴としている。
【００１０】
この発明の請求項４に係わるウオッシャポンプでは、請求項３の構成に加え、第３の通気孔は、第２の環状側壁の一部に形成されている構成としたことを特徴としている。
【００１１】
この発明の請求項５に係わるウオッシャポンプでは、請求項３の構成に加え、第２の通気孔は、ポンプカバーの環状底板を貫通して環状底板の円周方向の６個所に形成されている構成としたことを特徴としている。
【００１２】
この発明の請求項６に係わるウオッシャポンプでは、請求項３の構成に加え、第２の通気孔は、ポンプカバーの環状底板を貫通して環状底板の円周方向の３個所に形成されている構成としたことを特徴としている。
【００１３】
この発明の請求項７に係わるウオッシャポンプでは、請求項３の構成に加え、第２の通気孔は、ポンプカバーの環状底板を貫通して環状底板の円周方向の１個所に形成されている構成としたことを特徴としている。
【００１４】
この発明の請求項８に係わるウオッシャポンプでは、アーマチュア軸を有し、通電により回転するアーマチュアと、アーマチュアのアーマチュア軸を回転可能に支持し、端部にポンプ室壁を有する筒状をなしたケースと、ケースに一体的に形成されたタンク取付部と、ケースのポンプ室壁に対向して配置された底板と、この底板の外周より延設され、ケースのポンプ室壁に結合された第１の環状側壁とが形成されたポンプカバーと、ケースのポンプ室壁とポンプカバーの底板及び第１の環状側壁とに囲まれて形成されたポンプ室内に配置され、アーマチュアのアーマチュア軸に結合され、アーマチュアの回転によりタンク取付部の吸水口よりポンプ室内に吸水された洗浄液を送出するインペラを備えたウオッシャポンプにおいて、ケースの端部には、ケースの内部と外部を連通する第１の通気孔が形成され、ポンプカバーには、第１の環状側壁から突設された環状底板と、第１の環状側壁を囲んで配置され、環状底板からケースの端部に向って延設された第２の環状側壁とが形成され、ポンプカバーの環状底板には、ケースの第１の通気孔に連通し、かつ、大気に開放された第２の通気孔が形成されている構成としたことを特徴としている。
【００１５】
この発明の請求項９に係わるウオッシャポンプでは、請求項８の構成に加え、第１の通気孔の開口部に対し、第２の通気孔の開口部は、互いにずれた位置に形成されている構成としたことを特徴としている。
【００１６】
この発明の請求項１０に係わるウオッシャポンプでは、請求項８、９のいずれかの構成に加え、第２の通気孔の幅は、第１の環状側壁と第２の環状側壁との離間した距離より十分小さく形成されている構成としたことを特徴としている。
【００１７】
この発明の請求項１１に係わるウオッシャポンプでは、請求項８、９、１０のいずれかの構成に加え、第２の環状側壁には、大気に開放された第３の通気孔が形成されている構成としたことを特徴としている。
【００１８】
この発明の請求項１２に係わるウオッシャポンプでは、請求項１１の構成に加え、第３の通気孔は、タンク取付部の下部に配置されている構成としたことを特徴としている。
【００１９】
この発明の請求項１３に係わるウオッシャポンプでは、請求項８、９、１０、１１、１２のいずれかの構成に加え、第２の環状側壁には、下方に向って延設された第３の環状側壁が形成されている構成としたことを特徴としている。
【００２０】
この発明の請求項１４に係わるウオッシャポンプでは、請求項８、９、１０、１１、１２、１３のいずれかの構成に加え、第２の通気孔は、複数個形成されている構成としたことを特徴としている。
【００２１】
この発明の請求項１５に係わるウオッシャポンプでは、請求項８、９、１０、１１、１２、１３のいずれかの構成に加え、第２の通気孔の断面積は、第１の通気孔の断面積よりも大きく形成されている構成としたことを特徴としている。
【００２２】
【発明の作用】
この発明の請求項１、２、３、４、５、６、７、８、９、１０、１１、１２、１３、１４、１５に係わるウオッシャポンプにおいて、洗車や降雨時の車両による雨水のはねかけ等により被水した際、その水が第２の通気孔から副室に至る間に、その勢いが小さくなって副室に溜まり、その結果、水が副室から第１の通気孔に到達せずに、第２の通気孔から外部に排出される。それ故、洗車や降雨時の車両による雨水のはねかけ等により被水した際の水がケース内に浸入することがない。
【００２３】
【発明の実施の形態】
【００２４】
【実施例】
図１ないし図８にはこの発明に係わるウオッシャポンプの第１実施例が示されている。
【００２５】
図示するウオッシャポンプ１は、主として、ケース２、第１、第２のケース本体側縦孔３、４、副室５、第１、第２、第３、第４、第５、第６のポンプカバー側縦孔６、７、８、９、１０、１１、第１のポンプカバー側横孔１２、ヨーク１３、マグネット１４、アーマチュア１６、第１のブラシ１７、第２のブラシ１８、ポンプ室１９、インペラ２０から構成されている。
【００２６】
ケース２は、ケース本体２ａ、エンドカバー２ｂ、ポンプカバー２ｃからなる。
【００２７】
ケース本体２ａは、樹脂製である。このケース本体２ａには、モータケース部２ａ１、隔板部２ａ２、吸水口２ａ３が形成されたタンク取付部２ａ７、第１のポンプ室壁２ａ４が一体に形成されている。
【００２８】
モータケース部２ａ１は、円筒形にされている。モータケース部２ａ１の内周部には、金属製で円筒形のヨーク１３が取付けられている。モータケース部２ａ１の上端部には、エンドカバー２ｂが一体的に固定されている。
【００２９】
隔板部２ａ２は、モータケース部２ａ１の下端部に配置されている。隔板部２ａ２の中央部には、第１の軸受２１、シール２２が取付けられている。第１の軸受２１は、アーマチュア１６に備えられたアーマチュア軸１６ａのほぼ中央を回転可能に支持している。隔板部２ａ２は、モータケース部２ａ１をポンプ室１９から隔離する機能をもつ。
【００３０】
タンク取付部２ａ７は、モータケース部２ａ１の下方に配置されている。タンク取付部２ａ７は、図８に示されるウオッシャタンク３０に形成されたポンプ取付部３０ａにシール部材３０ｂを介して装着される。よって、ポンプ室１９は、タンク取付部２ａ７の吸水口２ａ３を介してウオッシャタンク３０内に連通される。
【００３１】
第１のポンプ室壁２ａ４は、吸水口２ａ３の下方側に配置されている。第１のポンプ室壁２ａ４は、逆すり鉢形状にされていてポンプ室１９の上方側を形成している。
【００３２】
モータケース部２ａ１の下端部２ａ０には、図３に示されるように、第１、第２のケース本体側縦孔３、４がそれぞれ形成されている。第１、第２のケース本体側縦孔３、４は、図７に示されるように、第１のポンプ室壁２ａ４のまわりの対称位置に配置されていて、それぞれモータケース部２ａ１の円弧とほぼ同一の円弧形にされている。
【００３３】
第１のケース本体側縦孔３、４は、モータケース部２ａ１の筒方向である縦方向に沿って、一方がヨーク１３の内側に連通されているとともに、他方が副室５内に連通されている。モータケース部２ａ１の第１のケース本体側縦孔３、４の外周部には、突起２ａ５が副室５内に円弧状に突出して形成されている。突起２ａ５は、モータケース本体２ａ１とポンプカバー２ｃとの間に形成された第２の横孔３５より浸入した水を副室５に落とす。よって、第１、第２のケース本体側縦孔３、４には、浸入した水が直接かからない。また、突起２ａ５は、副室５の下側に発生した水膜がケース本体２ａ１側に上昇した時に、その先端部が水膜に当接することにより、この水膜を破る機能をもつ。
【００３４】
エンドカバー２ｂは、樹脂製である。このエンドカバー２ｂの中央部には、第２の軸受２３が取付けられている。第２の軸受２３は、アーマチュア１６のアーマチュア軸１６ａの上端部を回転可能に支持している。
【００３５】
エンドカバー２ｂの第２の軸受２３のまわりには、第１、第２のブラシホルダ２４、２５の基端部がそれぞれ取付けられている。第１、第２のブラシホルダ２４、２５は、コネクタ部２ｂ１内で、図２に示される第１、第２のターミナル２６、２７にそれぞれ電気的に接続されている。第１、第２のブラシホルダ２４、２５の先端部には、第１、第２のブラシ１７、１８がそれぞれ電気的に接続可能にして装着されている。第１、第２のターミナル２６、２７は、外部の図示しないウオッシャ制御回路に電気的に接続される。
【００３６】
ヨーク１３の内周部には、マグネット１４が取付けられている。マグネット１４は、内周側に相反する磁力を発生している。
【００３７】
第１、第２のマグネット１４、１５の内周部には、アーマチュア１６が配置されている。アーマチュア１６は、アーマチュア軸１６ａ、アーマチュアコア１６ｂ、コンミュテータ１６ｃ、アーマチュアコイル１６ｄからなる。
【００３８】
アーマチュア軸１６ａは、前述した第１、第２の軸受２１、２３によって回転可能に支持されている。アーマチュア軸１６ａの下端部は、ポンプ室１９内まで延出している。アーマチュア軸１６ａの下端部には、ポンプ１９内でインペラ２０が取付けられている。
【００３９】
アーマチュアコア１６ｂは、アーマチュア軸１６ａのほぼ中央部に取付けられている。アーマチュアコア１６ｂには、スロット数に応じた複数個の巻回部１６ｂ１が形成されている。
【００４０】
コンミュテータ１６ｃは、アーマチュア軸１６ａの上方側に取付けられている。コンミュテータ１６ｃには、アーマチュアコア１６ｂの巻回部１６ｂ１と同数のコンミュテータ片１６ｃ１が備えられている。対向配置されたコンミュテータ片１６ｃ１のそれぞれには、第１、第２のブラシホルダ２４、２５により、第１、第２のブラシ１７、１８がそれぞれ電気的に接続可能に押圧接触されている。
【００４１】
アーマチュアコイル１６ｄは、アーマチュアコア１６ｂの巻回部１６ｂ１のそれぞれに巻回されているとともに、コンミュテータ１６ｃのコンミュテータ片１６ｃ１のそれぞれに電気的に接続されている。
【００４２】
アーマチュア１６は、ウオッシャ制御回路に備えられたウオッシャスイッチがオンされることにより、第１のターミナル２６から第２のターミナル２７に通電されると、第１のブラシ１７から第２のブラシ１８に電流が流れることによって回転され、アーマチュア軸１６ａに取付けられたインペラ２０をポンプ室１９内で回転させる。
【００４３】
ポンプカバー２ｃは、樹脂製である。このポンプカバー２ｃには、底板２ｃ１、第１の環状側壁２ｃ２、第２の環状側壁２ｃ３、第２のポンプ室壁２ｃ４、吐出口２ｃ５、副室５、第１、第２、第３、第４、第５、第６のポンプカバー側縦孔６、７、８、９、１０、１１、第１のポンプカバー側横孔１２がそれぞれ形成されている。
【００４４】
底板２ｃ１は、円板形にされている。
【００４５】
第１の環状側壁２ｃ２は、図２に示されるように、底板２ｃ１の上面上の外周寄りに円環形に突出形成されている。第１の環状側壁２ｃ２の先端部は、ケース本体２ａの第１のポンプ室壁２ａ４の外周部に熱溶着（超音波溶着）により固定されている。
【００４６】
第２の環状側壁２ｃ３は、図２に示されるように、底板２ｃ１の外周縁部に形成された環状底板２ｃ７から円環形に突出形成されている。第２の環状側壁２ｃ３の先端部は、ケース本体２ａの下端部２ａ０に接合されている。
【００４７】
第２のポンプ室壁２ｃ４は、第１の環状側壁２ｃ２の内周部と底板２ｃ１の上面とで囲まれた部分に形成されている。
【００４８】
第２のポンプ室壁２ｃ４とケース本体２ａの第１のポンプ室壁２ａ４とによりポンプ室１９が形成されている。ポンプ室１９内には、アーマチュア軸１６ａに取付けられたインペラ２０が回転可能に収められている。
【００４９】
吐出口２ｃ５は、第１の環状側壁２ｃ２の一部に丸孔形に形成されている。この吐出口２ｃ５は、ポンプ室１９内に連通接続されているとともに、外部に連通されている。吐出口２ｃ５には、図示しないウオッシャノズルに連通接続される図示しない送給管が連通接続される。
【００５０】
副室５は、第１の環状側壁２ｃ２と第２の環状側壁２ｃ３との間に予め定められた容量をもつ空間状に形成されている。この副室５は、図３に示されるように、高さ寸法Ｌ１で、幅寸法ｄ１の断面形状が縦長の長方形にされており、第１の環状側壁２ｃ２の外周全周に環状にして配置されている。副室５は、第１、第２のケース本体側縦孔３、４と、第１、第２、第３、第４、第５、第６のポンプカバー側縦孔６、７、８、９、１０、１１と、第１のポンプカバー側横孔１２とにそれぞれ連通されている。
【００５１】
副室５は、縦長の長方形の空間にされているため、洗車や降雨等によりウオッシャポンプ１が被水することによりポンプカバー２ｃ内にその水が浸入した場合に、その水を一時的に溜める機能をもつ。
【００５２】
第１、第２、第３、第４、第５、第６のポンプカバー側縦孔６、７、８、９、１０、１１は、図３に示されるように、副室５の下端部の環状底板２ｃ７にそれぞれ配置されている。第１、第２、第３、第４、第５、第６のポンプカバー側縦孔６、７、８、９、１０、１１は、モータケース部２ａ１の筒方向である縦方向に沿って環状底板２ｃ７を上下方向にスリット状に貫通するものとして形成されている。
【００５３】
第１、第２、第３、第４、第５、第６のポンプカバー側縦孔６、７、８、９、１０、１１は、図４に示されるように、副室５の円環形状に対応した円弧形状にして環状底板２ｃ７の円周方向の６個所に互いに離れて配置されている。このとき、第１、第６のポンプカバー側縦孔６、１１の孔の位置は、第１、第２のケース本体側縦孔３、４の孔の位置に対し外周側にずれて配置されている。第１、第２、第３、第４、第５、第６のポンプカバー側縦孔６、７、８、９、１０、１１は、環状底板２ｃ７の上面側が副室５にそれぞれ連通され、環状底板２ｃ７の下面側がそれぞれ大気開放されている。
【００５４】
第１、第２、第３、第４、第５、第６のポンプカバー側縦孔６、７、８、９、１０、１１の大気開放部は、環状底板２ｃ７の下面に円弧形に形成された円弧状溝２ｃ６により、底板２ｃ１の下面に対して段差をもって配置されている。円弧状溝２ｃ６は、底板２ｃ１に水が付着した際、その水が第１、第２、第３、第４、第５、第６のポンプカバー側縦孔６、７、８、９、１０、１１の大気開放部に直接接触しないようにする機能をもつ。第１、第２、第３、第４、第５、第６のポンプカバー側縦孔６、７、８、９、１０、１１は、洗車や降雨等によりウオッシャポンプ１が被水した際に、その水が副室５に浸入して勢いが小さくなったところで、その水を大気開放部分から外部へ排水する機能をもつ。第２の環状側壁２ｃ３には、下方に向って延設されていて円弧状溝２ｃ６の一部を形成する第３の環状側壁２ｃ８が形成されている。
【００５５】
第１のポンプカバー側横孔１２は、図１に示されるように、第２の環状側壁２ｃ３の一部であって吸水口２ａ３の下方に縦長の台形の貫通孔にして形成されている。第１のポンプカバー側横孔１２は、モータケース部２ａ１の筒方向に直交する方向をもつ。第１のポンプカバー側横孔１２は、第２の環状側壁２ｃ３の内周側が副室５に連通され、第２の環状側壁２ｃ３の外周側が外部に開放されている。
【００５６】
第１のポンプカバー側横孔１２は、吸水口２ａ３がウオッシャタンク３０のポンプ取付部３０ａに装着されることによって、ウオッシャタンク３０にわずかな隙間を置いて大気開放される。第１のポンプカバー側横孔１２は、図６に示されるように、縦長の台形にされているため、例え、大気開放部分に水が付着したとしても、その水による表面張力で孔が塞がれないようになっている。第１のポンプカバー側横孔１２は、副室５内の圧力を大気圧と同じ圧力とする機能をもつ。
【００５７】
このウオッシャポンプ１では、第１、第２のケース本体側縦孔３、４、副室５、第１、第２、第３、第４、第５、第６のポンプカバー側縦孔６、７、８、９、１０、１１、第１のポンプカバー側横孔１２によりブリーザ（呼吸孔）が形成されている。このブリーザでは、第１、第２、第３、第４、第５、第６のポンプカバー側縦孔６、７、８、９、１０、１１の孔方向が、第１、第２のケース本体側縦孔３、４の孔方向に対し外周側にずれて配置されているとともに、第１のポンプカバー側横孔１２の孔方向が、第１、第２のケース本体側縦孔３、４の孔方向に対し直交する配置にされていることによってラビリンスが形成されている。
【００５８】
このようなウオッシャポンプ１は、タンク取付部２ａ７がウオッシャタンク３０のポンプ取付部３０ａにシール部材３０ｂを介して装着され、吐出口２ｃ５が送給管に連通接続され、第１、第２のターミナル２６、２７がウオッシャ制御回路に電気的に接続されて車体に搭載される。
【００５９】
ウオッシャ制御回路のウオッシャスイッチがオンされると、第１のターミナル２６から第２のターミナル２７に通電されるため、アーマチュア１６が回転され、アーマチュア軸１６ａに取付けられたインペラ２０がポンプ室１９内で回転されて、ポンプ室１９内に負圧が発生し、その負圧により、ウオッシャタンク３０に貯蔵されている洗浄液が吸水口２ａ３からポンプ室１９内に導かれ、洗浄液が吐出口２ｃ５から送給管を通ってノズルから洗浄面に噴射される。
【００６０】
そして、このウオッシャポンプ１では、洗車や降雨等により被水した際、その水が第１、第２、第３、第４、第５、第６のポンプカバー側縦孔６、７、８、９、１０、１１を通って副室５に至る間に、その勢いが小さくなって、水が副室５に止まり、その結果、水が副室５から第１、第２のケース本体側縦孔３、４に到達せずに、勢いが小さくなって副室５に溜まった水が第１、第２、第３、第４、第５、第６のポンプカバー側縦孔６、７、８、９、１０、１１から外部に排出される。
【００６１】
そしてまた、このウオッシャポンプ１では、アーマチュア１６が通電により回転することによってケース本体２ａが高温になっている際や、環境温度によりケース本体２ａが高温になっている際に被水があると、その水によってケース本体２ａが急激に冷やされ、ケース本体２ａの内側がケース本体２ａの外側に比べて負圧になる。そのとき、水が第１、第２、第３、第４、第５、第６のポンプカバー側縦孔６、７、８、９、１０、１１を通って副室５に浸入するが、第１のポンプカバー側横孔１２により副室５内の圧力が大気圧と同じ圧力になっているため、水が第１、第２のケース本体側縦孔３、４に導かれず、その結果、水が副室５から第１、第２のケース本体側縦孔３、４に到達せずに、水が副室５から第１、第２、第３、第４、第５、第６のポンプカバー側縦孔６、７、８、９、１０、１１を通って外部に排出される。
【００６２】
図９にはこの発明に係わるウオッシャポンプの第２実施例が示されており、底面図のみが示されている。他の部位は第１実施例と同様に構成されている。
【００６３】
この場合のウオッシャポンプ１のポンプカバー２ｃには、副室５の円環形状に対応した円弧形状にして環状底板２ｃ７の円周方向の３個所に互いに離れて配置された第１、第２、第３のポンプカバー側縦孔３１、３２、３３が備えられている。
【００６４】
そして、第１実施例と同様にして、モータケース部２ａ１の下端部２ａ０に第１、第２のケース本体側縦孔３、４がそれぞれ形成され、第１の環状側壁２ｃ２と第２の環状側壁２ｃ３との間に副室５が形成されている。
【００６５】
第１、第２、第３のポンプカバー側縦孔３１、３２、３３は、モータケース部２ａ１の筒方向である縦方向に沿って環状底板２ｃ７を上下方向にスリット状に貫通するものとして形成されている。第１、第３のポンプカバー側縦孔３１、３３の孔の位置は、第１、第２のケース本体側縦孔３、４の孔の位置に対し外周側にずれて配置されている。第１、第２、第３のポンプカバー側縦孔３１、３２、３３は、環状底板２ｃ７の上面側が副室５にそれぞれ連通され、環状底板２ｃ７の下面側がそれぞれ大気開放されている。
【００６６】
第１、第２、第３のポンプカバー側縦孔３１、３２、３３は、洗車や降雨等によりウオッシャポンプ１が被水した際に、その水が副室５に浸入して勢いが小さくなったところで、その水を大気開放部分から外部へ排水する機能をもつ。
【００６７】
この場合のウオッシャポンプ１では、洗車や降雨等により被水した際、その水が第１、第２、第３のポンプカバー側縦孔３１、３２、３３を通って副室５に至る間に、その勢いが小さくなって、水が副室５に止まり、その結果、水が副室５から第１、第２のケース本体側縦孔３、４に到達せずに、勢いが小さくなって副室５に溜まった水が第１、第２、第３のポンプカバー側縦孔３１、３２、３３から外部に排出される。
【００６８】
そして、この場合のウオッシャポンプ１では、アーマチュア１６が通電により回転することによってケース本体２ａが高温になっている際や、環境温度によりケース本体２ａが高温になっている際に被水があると、その水によってケース本体２ａが急激に冷やされ、ケース本体２ａの内側がケース本体２ａの外側に比べて負圧になる。そのとき、水が第１、第２、第３のポンプカバー側縦孔３１、３２、３３を通って副室５に浸入するが、第１のポンプカバー側横孔１２により副室５内の圧力が大気圧と同じ圧力になっているため、水が第１、第２のケース本体側縦孔３、４に導かれず、その結果、水が副室５から第１、第２のケース本体側縦孔３、４に到達せずに、水が副室５から第１、第２、第３のポンプカバー側縦孔３１、３２、３３を通って外部に排出される。
【００６９】
図１０にはこの発明に係わるウオッシャポンプの第３実施例が示されており、底面図のみが示されている。他の部位は第１実施例と同様に構成されている。
【００７０】
この場合のウオッシャポンプ１のポンプカバー２ｃには、副室５の円環形状に対応した円弧形状にして環状底板２ｃ７の円周方向に配置された単一のポンプカバー側縦孔３４が備えられている。
【００７１】
そして、第１実施例と同様にして、モータケース部２ａ１の下端部２ａ０に第１、第２のケース本体側縦孔３、４がそれぞれ形成され、第１の環状側壁２ｃ２と第２の環状側壁２ｃ３との間に副室５が形成されている。
【００７２】
ポンプカバー側縦孔３４は、モータケース部２ａ１の筒方向である縦方向に沿って環状底板２ｃ７を上下方向にスリット状に貫通するものとして形成されている。ポンプカバー側縦孔３４の孔の位置は、第１、第２のケース本体側縦孔３、４の孔の位置に対し外周側にずれて配置されている。ポンプカバー側縦孔３４は、環状底板２ｃ７の上面側が副室５にそれぞれ連通され、環状底板２ｃ７の下面側がそれぞれ大気開放されている。
【００７３】
ポンプカバー側縦孔３４は、洗車や降雨等によりウオッシャポンプ１が被水した際に、その水が副室５に浸入して勢いが小さくなったところで、その水を大気開放部分から外部へ排水する機能をもつ。
【００７４】
この場合のウオッシャポンプ１では、洗車や降雨等により被水した際、その水が単一のポンプカバー側縦孔３４を通って副室５に至る間に、その勢いが小さくなって、水が副室５に止まり、その結果、水が副室５から第１、第２のケース本体側縦孔３、４に到達せずに、勢いが小さくなって副室５に止まった水が単一のポンプカバー側縦孔３４から外部に排出される。
【００７５】
そして、この場合のウオッシャポンプ１では、アーマチュア１６が通電により回転することによってケース本体２ａが高温になっている際や、環境温度によりケース本体２ａが高温になっている際に被水があると、その水によってケース本体２ａが急激に冷やされ、ケース本体２ａの内側がケース本体２ａの外側に比べて負圧になる。そのとき、水が単一のポンプカバー側縦孔３４を通って副室５に浸入するが、第１のポンプカバー側横孔１２により副室５が負圧にならずに、正圧になっているため、水が第１、第２のケース本体側縦孔３、４に導かれず、その結果、水が副室５から第１、第２のケース本体側縦孔３、４に到達せずに、水が副室５から単一のポンプカバー側縦孔３４を通って外部に排出される。
【００７６】
【発明の効果】
以上説明してきたように、この発明の請求項１、２、３、４、５、６、７、８、９、１０、１１、１２、１３、１４、１５に係わるウオッシャポンプによれば、洗車や降雨時の車両による雨水のはねかけ等により被水した際、その水が第２の通気孔から副室に至る間に、その勢いが小さくなって副室に溜まり、その結果、水が副室から第１の通気孔に到達せずに、第２の通気孔から外部に排出される。それ故、洗車や降雨時の車両による雨水のはねかけ等により被水した際の水がケース内に浸入することがない。よって、被水した際にケース内への水の浸入を防止することができるという優れた効果を奏する。
【図面の簡単な説明】
【図１】この発明に係わるウオッシャポンプの第１実施例の縦断正面図である。
【図２】図１に示したウオッシャポンプの一部破断右側面図である。
【図３】図２に示したウオッシャポンプのブリーザ部分の断面図である。
【図４】図１に示したウオッシャポンプの底面図である。
【図５】図１に示したウオッシャポンプの左側面図である。
【図６】図１に示したウオッシャポンプを斜め下方から見た外観斜視図である。
【図７】図１に示したウオッシャポンプのポンプカバーを外した状態での底面図である。
【図８】図１に示したウオッシャポンプのウオッシャタンクへの取付状態の説明図である。
【図９】この発明に係わるウオッシャポンプの第２実施例の底面図である。
【図１０】この発明に係わるウオッシャポンプの第３実施例の底面図である。
【符号の説明】
１  ウオッシャポンプ
２  ケース
２ａ０  （端部）下端部
２ａ３  吸水口
２ａ４  （ポンプ室壁）第１のポンプ室壁
２ａ７  タンク取付部
２ｃ  ポンプカバー
２ｃ１  底板
２ｃ２  第１の環状側壁
２ｃ３  第２の環状側壁
２ｃ７  環状底板
２ｃ８  第３の環状側壁
３  （第１の通気孔）第１のケース本体側縦孔
４  （第１の通気孔）第２のケース本体側縦孔
５  副室
６  （第２の通気孔）第１のポンプカバー側縦孔
７  （第２の通気孔）第２のポンプカバー側縦孔
８  （第２の通気孔）第３のポンプカバー側縦孔
９  （第２の通気孔）第４のポンプカバー側縦孔
１０  （第２の通気孔）第５のポンプカバー側縦孔
１１  （第２の通気孔）第６のポンプカバー側縦孔
１２  （第３の通気孔）第１のポンプカバー側横孔
１６  アーマチュア
１６ａ  アーマチュア軸
１９  ポンプ室
２０  インペラ
３１  （第２の通気孔）第１のポンプカバー側縦孔
３２  （第２の通気孔）第２のポンプカバー側縦孔
３３  （第２の通気孔）第３のポンプカバー側縦孔
３４  （第２の通気孔）ポンプカバー側縦孔
【図１】
0003972122.tif 000002
【図２】
0003972122.tif 000003
【図３】
0003972122.tif 000004
【図４】
0003972122.tif 000005
【図５】
0003972122.tif 000006
【図６】
0003972122.tif 000007
【図７】
0003972122.tif 000008
【図８】
0003972122.tif 000009
【図９】
0003972122.tif 000010
【図１０】
0003972122.tif 000011